(57)【要約】【課題】注出ノズルを折りたたんで扁平状とし、容器の収納部にコンパクトに収納できるようにした注出ノズル付容器を提供すること。【解決手段】液体容器の注出口に装着する注出ノズルであって、注出ノズルは、注出筒部と差込み筒部および注出筒部下端に間隔をおいて放射状に突出する載置板とを具えたノズル筒を備えており、ノズル筒に複数の縦溝が刻設され、扁平状に変形可能とされていることを特徴とする。【選択図】　　　　図１
2004059103.tif 000002
【特許請求の範囲】
【請求項１】
液体容器の注出口に装着する注出ノズルであって、
注出ノズルは、注出筒部と差込み筒部および注出筒部下端に間隔をおいて放射状に突出する載置板とを具えたノズル筒を備えており、
ノズル筒に複数の縦溝が刻設され、扁平状に変形可能とされていることを特徴とする液体容器の注出ノズル。
【請求項２】
ノズル筒上端を被嵌するキャップを、連結片を介してノズル筒外周に取着したことを特徴とする請求項１記載の液体容器の注出ノズル。
【請求項３】
ノズル筒の内周に、内方に突出する壁面を形成し、ノズル筒壁面との間に空気置換孔を形成したことを特徴とする請求項１，２記載の液体容器の注出ノズル。
【発明の詳細な説明】
【０００１】
【発明の属する技術分野】
本発明は、注出ノズル、とくに使用前の注出ノズルを扁平状として容器に取付可能とした注出ノズル付容器に関する。
【０００２】
【従来の技術】
液体容器に、別部材の注出ノズルを付属させて、一緒に販売することは従来より行われている。
【０００３】
【発明が解決しようとする課題】
しかし、従来は、付属された注出ノズルが液体容器に対して大きい容積を占め、商品全体の大きさを増すことになり、陳列等の際に注出ノズルを含めた広いスペースを確保しなければならないという問題があった。
また、注出ノズルを容器と別にしておくときには、注出ノズルを紛失するという問題があった。
【０００４】
本発明は、上記問題を解決することを課題とし、注出ノズルを折りたたんで扁平状とし、容器の収納部にコンパクトに収納できるようにした注出ノズル付容器を提供することを目的とする。
【０００５】
【課題を解決するための手段】
本発明は、上記の課題を解決するため、液体容器の注出ノズルとして、液体容器の注出口に装着する注出ノズルであって、注出ノズルは、注出筒部と差込み筒部および注出筒部下端に間隔をおいて放射状に突出する載置板とを具えたノズル筒を備えており、ノズル筒に複数の縦溝が刻設され、扁平状に変形可能とされていることを特徴とする構成を採用する。
【０００６】
一つの実施態様として、上記構成に、ノズル筒上端を被嵌するキャップを、連結片を介してノズル筒外周に取着したことを特徴とする構成を付加する。
【０００７】
その他の実施態様として、上記構成に、ノズル筒の内周に、内方に突出する壁面を形成し、ノズル筒壁面との間に空気置換孔を形成したことを特徴とする構成を付加する。
【０００８】
【発明の実施の形態】
次に、本発明の実施形態について、図面を参照して説明する。
図１において、Ａは紙、プラスチック、金属缶などで形成された液体容器、Ｂは折りたたみ可能な注出ノズルである。
【０００９】
図２に示すように、容器Ａは、横断面が円形状または角形の有底の胴筒壁１と天板２とからなり、天板２には、中心、または中心より偏寄した位置に注出口３が穿孔されており、注出口３は連結片を介してプルリング４を取着した栓体５によって被蓋されている。
天板２と胴筒壁１の上端縁６との間は一定の高さが設けられ、注出ノズルＢの収納部７が形成されている。
【００１０】
図３に示すように、注出ノズルＢは、ノズル筒１０とキャップ１１とからなり、ノズル筒１０は、注出筒部１２と注出筒部１２の下方に連続し、下端を斜めにカットした差込み筒部１３とからなっている。
ノズル筒１０の外周には、複数の縦溝１４が等間隔に刻設されており、注出筒部１２下端と差込み筒部１３との境目には、縦溝１４の溝底部分を谷部として、放射状に突出する周縁円弧状の載置板１５が突設されている。
【００１１】
キャップ１１は、頂壁１６と注出筒部１２に嵌合する側周壁１７とを具えており、側周壁１７の内側には、注出筒部１２内周を密封する密封リング１８が垂設されている。
側周壁１７の所定の位置には連結片１９が連接されており、連結片１９の他端は注出筒部１２の上端より下方に連結されて、キャップ１１の開閉が自由にできるようになっている。
連結片１９の反対側の側周壁１７には、摘み２０が設けられている。
【００１２】
次に、本発明の注出ノズル付容器の使用態様と作用効果について説明する。
図２に示すように、まず、容器Ａには内容液が収納され、栓体５によって注出口３が塞がれている。
【００１３】
一方、注出ノズルＢは、ノズル筒１０が径方向に押さえられ、縦溝１４によって屈曲されて、扁平状のノズル筒１０ａとなり、キャップ１１も連結片１９がねじられることによって、キャップ１１の頂壁１６が扁平状のノズル筒１０ａの下面と同一面として並列させられる。
次に、扁平状のノズル筒１０ａを、図４に示すように、容器Ａ上面の収納部７に収納し、シュリンクフィルムで被覆し、包装することによって注出ノズル付容器が得られる。
【００１４】
注出にあたっては、包装を解いて注出ノズルＢを取り出し、次いで、プルリング４を引っ張って栓体５を抜き取り、注出口３を露出させ、該注出口３に注出ノズルＢを嵌挿する。
嵌挿にあたっては、扁平状のノズル筒１０ａをある程度円形に復元させ、差込み筒部１３を注出口３に嵌挿させると、差込み筒部１３は、注出口３によって完全に円形に復元して嵌合し、同時に注出筒部１２も円形となる。
【００１５】
注出ノズルＢを、さらに、押し込み、載置板１５を天板２に押しつけると、容器Ａの天板２に注出ノズルＢが垂直に立てられ、図１に示すような注出ノズルＢを装着した容器が得られる。
その際、キャップ１１を被せることによって、注出筒部１２の変形復元を容易、正確にすることもできる。
【００１６】
次いで、キャップ１１を開いて注出ノズルＢから内容物を注出することができ、必要量注出し終えたときには、再びキャップ１１をしてしまっておくことができる。
【００１７】
次に、注出ノズルの別実施例について説明する。
本実施例は、注出ノズルに空気置換孔を設けたもので、図５に示すように、ノズル筒３０の円周の一部には、中央に突出した壁面３１が設けられ、壁面３１とノズル筒３０との間には、空気孔３２が形成されている。
注出にあたっては、空気孔３２から外気が導入されるので、注出がより簡便となる。
【００１８】
特に、容器を小型の飲料用容器として用いる場合には、注出ノズルを吸飲用ノズルとして使用し、壁面３１に対応するノズル筒３０の外周部分の壁面を低くすることによって、口にくわえる吸飲口を小さくし、壁面３１とその外周にあるノズル筒３０の外周部分との間を空気置換孔として実施例と同様の効果が得られる。
【００１９】
前記実施形態では、注出ノズルを容器の上面の収納部に収納し、シュリンクフィルムで被覆包装するようにしたが、口部天面を被うカバーキャップを被嵌するようにしてもよく、テープ等で接着するようにしてもよい。
また、収納部を容器胴筒壁外周に設け、シュリンクフィルムの被覆、或いはテープ等により接着するようにしてもよい。
【００２０】
注出ノズルを付けた容器と付けない容器とをセットとして、注出ノズルを付け代えるようにしてもよい。
【００２１】
また、前記実施形態では、連結片でキャップを接続した注出ノズルについて説明したが、キャップを別体としてもよく、キャップ自体をなくしてもよい。
さらに、注出ノズルと液体容器の注出口との嵌着については、注出ノズルの差込み筒部外周にアンダーカットを設けてもよいし、液体容器の注出口に螺合筒を取着し、差込み筒部外周に間欠ねじを設け、注出ノズルを注出口の螺合筒に螺合する等、任意の方法が使用できる。
【００２２】
【発明の効果】
本発明は、上記のように構成されているから、次の効果を奏する。
注出ノズルを折りたたみ、扁平状に変形可能としたから、容器天板上の収納部に収納することができ、容器外形内からはみ出すことがなくなった。
【図面の簡単な説明】
【図１】本発明の注出ノズル付液体容器の斜視図である。
【図２】液体容器の斜視図である。
【図３】注出ノズルの説明図で、（ａ）は開蓋時の上面図、（ｂ）は開蓋時の縦断面図、（ｃ）は閉蓋時の一部断面立面図である。
【図４】扁平ノズル筒装着時の液体容器の斜視図である。
【図５】別実施例の注出ノズルの上面図である。
【符号の説明】
Ａ　　　液体容器
Ｂ　　　注出ノズル
１　　　胴筒壁
２　　　天板
３　　　注出口
４　　　プルリング
５　　　栓体
６　　　上端縁
７　　　収納部
１０、１０ａ、３０　ノズル筒
１１　　キャップ
１２　　注出筒部
１３　　差込み筒部
１４　　縦溝
１５　　載置板
１６　　頂壁
１７　　側周壁
１８　　密封リング
１９　　連結片
２０　　摘み
３１　　壁面
３２　　空気孔
【図１】
2004059103.tif 000003
【図２】
2004059103.tif 000004
【図３】
2004059103.tif 000005
【図４】
2004059103.tif 000006
【図５】
2004059103.tif 000007